(57)【要約】【課題】エレベータ乗場の照度が異なる場合でも、ホールランタン装置の照光体が照光していることの識別を確実に行うことができるようにする。【解決手段】エレベータのホールランタン装置において、選択的に点灯可能な複数の光源１０と、透光性を有し、光源１０から出射された光をエレベータ乗場に向けて照光する照光体１２と、エレベータ乗場の照度を検出するセンサ１３と、センサ１３の検出結果に応じて点灯させる光源１０を選択する選択部１５と、を備える。【選択図】    図２
2009208915.tif 000002
【特許請求の範囲】
【請求項１】
選択的に点灯可能な複数の光源と、
透光性を有し、前記光源から出射された光をエレベータ乗場に向けて照光する照光体と、
前記エレベータ乗場の照度を検出するセンサと、
前記センサの検出結果に応じて点灯させる前記光源を選択する選択部と、
を備えることを特徴とするエレベータのホールランタン装置。
【請求項２】
前記センサが予め設定された時間遮光された場合に、前記光源の点灯パターンをエレベータの通常運転時の点灯パターンとは異なる点灯パターンに変更する点灯パターン変更部を備えることを特徴とする請求項１記載のエレベータのホールランタン装置。
【請求項３】
前記エレベータ乗場に設置され、エレベータの運行状態を点灯表示する表示灯と、
前記センサが予め設定された時間遮光された場合に、前記表示灯を点灯させる点灯制御部と、
を備えることを特徴とする請求項１記載のエレベータのホールランタン装置。
【請求項４】
複数の前記光源は、出射する光の色が異なる複数種類の光源からなることを特徴とする請求項１記載のエレベータのホールランタン装置。
【発明の詳細な説明】
【技術分野】
【０００１】
本発明は、エレベータのホールランタン装置に関し、特に、エレベータ乗場の照度が変化した場合でも、照光体が照光していることの識別を確実に行うことができるエレベータのホールランタン装置に関する。
【背景技術】
【０００２】
エレベータのホールランタン装置は、ＬＥＤや白熱灯などの光源をボックス内に収納し、ボックスの前面にアクリル樹脂やガラス等の透光素材で形成した照光体を設け、光源から出射された光を照光体を透過させ、エレベータ乗場に照光させている。照光体から光を照光させることにより、エレベータ乗場への乗りかごの到着や乗りかごの運行状況等を、エレベータ乗り場にいるエレベータ利用者に知らせている。
【０００３】
このようなホールランタン装置において、照光体の輝度を調節することを可能としたものが、下記特許文献１に記載されている。下記特許文献１に記載されたホールランタン装置においては、エレベータの運行状況やタイマーでの設定等により、照光体の輝度を自動的に調節している。
【特許文献１】特開平９−１４２７５１号公報
【発明の開示】
【発明が解決しようとする課題】
【０００４】
しかしながら、上述したホールランタン装置では、以下の点について配慮がなされていない。
【０００５】
エレベータ乗場に設けられている照明装置の位置や明るさ、エレベータ乗場への日光の差し込み方等によっては、ホールランタン装置の照光体の明るさが目立たない場合や、逆に明るすぎる場合があり、特許文献１の発明では、これらの場合に対応することができなかった。
【０００６】
また、ホールランタン装置の設計・製作段階では、建物の施工工程との関係上、エレベータ乗場の照明装置の位置や明るさ、日光の差し込み方などが不確定な場合がある。このため、ホールランタン装置を製作、設置した後に、ホールランタン装置の照光体の明るさが目立たないとか、照光体が明るすぎる等の不具合に気付く場合があった。このような不具合が生じた場合には、ホールランタン装置を再製作したり改造したりするという無駄が発生していた。
【０００７】
本発明はこのような課題を解決するためになされたもので、その目的は、エレベータ乗場の照度が異なる場合でも、照光体が照光していることの識別を確実に行うことができるようにしたエレベータのホールランタン装置を提供することである。
【課題を解決するための手段】
【０００８】
本発明の実施の形態に係る第１の特徴は、エレベータのホールランタン装置において、選択的に点灯可能な複数の光源と、透光性を有し、前記光源から出射された光をエレベータ乗場に向けて照光する照光体と、前記エレベータ乗場の照度を検出するセンサと、前記センサの検出結果に応じて点灯させる前記光源を選択する選択部と、を備えることである。
【発明の効果】
【０００９】
本発明によれば、エレベータ乗場の照度が異なる場合でも、ホールランタン装置の照光体が照光していることの識別を確実に行うことができる。
【発明を実施するための最良の形態】
【００１０】
以下、本発明の実施の形態を図面を用いて説明する。
【００１１】
（第１の実施の形態）
図１は、本発明の第１の実施の形態に係るホールランタン装置を備えるエレベータを、エレベータ乗場側から見たときの正面図である。なお、このエレベータは、群管理される複数台のエレベータのうちの一台である。エレベータ乗場１には各エレベータ２ごとに乗場ドア３が設けられ、各乗場ドア３の側方には、ホールランタン装置４、５と、乗場呼び釦６とが設けられている。
【００１２】
乗場呼び釦６は、エレベータ乗場１に居るエレベータ利用者が、エレベータ２を利用して行きたい方向を指示するための釦であり、上昇方向を指示する上昇釦６ａと下降方向を指示する下降釦６ｂとが設けられている。
【００１３】
ホールランタン装置４、５は、それぞれ照光体７を備えており、この照光体７が照光することにより各エレベータ２の乗りかご（図示せず）がエレベータ乗場１に到着することを予報するとともに、到着後の乗りかごの運行方向を表示する。具体的には、上側に位置するホールランタン装置４の照光体７が照光した場合には、エレベータ乗場１にエレベータ２の乗りかごが到着するとともに到着後の乗りかごの運行方向が上昇方向であることを予報する。また、下側に位置するホールランタン装置５の照光体７が照光した場合には、エレベータ乗場１にエレベータ２の乗りかごが到着するとともに到着後の乗りかごの運行方向が下降方向であることを予報する。
【００１４】
図２は、ホールランタン装置４を示す分解斜視図である。ホールランタン装置４は、一面が開口されたボックス８と、ボックス８の開口部分を覆うフェースプレート９とを有している。ボックス８内には複数の光源１０が設けられ、これらの光源１０は、縦方向に一列に配列された複数の光源１０からなる第１の光源群１１ａと、縦方向に一列に配列された複数の光源１０からなる第２の光源群１１ｂとに分けられ、第１の光源群１１ａの光源１０ごとに、又は、第２の光源群１１ｂの光源１０ごとに選択的に点灯制御される。なお、光源１０としては、白熱灯が用いられている。ホールランタン装置４は、ボックス８をエレベータ乗場１の壁面内に埋めるように位置させ、フェースプレート９の表面がエレベータ乗場１の壁面表面と同一面となるように設けられている。
【００１５】
フェースプレート９には、アクリル樹脂やガラス等の透光性素材で形成した照光体１２が取付けられている。光源１０から出射された光は、照光体１２を透過し、エレベータ乗場１に向けて照光される。
【００１６】
さらに、フェースプレート９には、エレベータ乗場１の照度を検出するセンサ１３が設けられている。センサ１３と照光体１２との間には、センサ１３が照光体１２から照光される光の影響を受けないようにするための遮光ガード１４が設けられている。
【００１７】
センサ１３は、ボックス８内に設置された選択部１５に電線１３ａにより接続されている。選択部１５は、センサ１３の検出結果に応じて点灯する光源１０を選択する部分であり、第１の光源群１１ａの光源１０を点灯させ、又は、第１の光源群１１ａの光源１０と第２の光源群１１ｂの光源１０とを点灯させる。選択部１５には、センサ１３の検知結果の値と点灯させる光源１０との関係を規定する情報を記憶した記憶部が設けられており、この記憶部に記憶されている情報に基づいて点灯させる光源１０が選択される。この選択は、電源線１６を介して供給される電力を、第１の光源群１１ａと第２の光源群１１ｂとに対してオン・オフさせることにより行なわれる。
【００１８】
また、選択部１５は、エレベータの運行を制御する制御盤１７と信号線１８により接続されている。エレベータ２の乗りかごがエレベータ乗場１に到着する乗りかごとして制御盤１７内で決定され、その決定信号が制御盤１７から選択部１５に出力された場合に、ホールランタン装置４の点灯制御が行なわれる。
【００１９】
ホールランタン装置５は、構成及びエレベータ乗場１への取付状態がホールランタン装置４と略同じである。ホールランタン装置４とホールランタン装置５との異なる点は、ホールランタン装置４にはセンサ１３が設けられているのに対し、ホールランタン装置５にはセンサ１３が設けられていない点である。但し、ホールランタン装置４のセンサ１３は、ホールランタン装置５の選択部１５にも接続されている。言い換えると、センサ１３は２つのホールランタン装置４、５において共用されている。
【００２０】
図３は、ホールランタン装置４の点灯制御について説明するフローチャートである。まず、エレベータ２の乗りかごがエレベータ乗場１に到着する乗りかごとして決定されたか否か、言い換えると、エレベータ２の乗りかごがエレベータ乗場１に到着する乗りかごとして制御盤１７において決定され、その決定信号が選択部１５に入力されたか否かが判断される（Ｓ１）。
【００２１】
決定信号が選択部１５に入力された場合には（Ｓ１のＹＥＳ）、センサ１３が検出したエレベータ乗場１の照度が閾値以上であるか否かが選択部１５において判断される（Ｓ２）。
【００２２】
センサ１３が検出したエレベータ乗場１の照度が閾値以上である場合には（Ｓ２のＹＥＳ）、第１の光源群１１ａの光源１０と第２の光源群１１ｂの光源１０とが点灯される（Ｓ３）。
【００２３】
一方、センサ１３が検出したエレベータ乗場１の照度が閾値未満である場合には（Ｓ２のＮＯ）、第１の光源群１１ａの光源１０のみが点灯される（Ｓ４）。
【００２４】
ステップＳ３又はステップＳ４において光源１０が点灯した後、エレベータ２の乗りかごがエレベータ乗場１に到着したか否かが判断され（Ｓ５）、乗りかごがエレベータ乗場１に到着した場合には（Ｓ５のＹＥＳ）、点灯していた光源１０が消灯され（Ｓ６）、ホールランタン装置４の点灯制御が終了する。
【００２５】
なお、ホールランタン装置５の点灯制御についても、同様に行なわれる。
【００２６】
このような構成において、ホールランタン装置４、５を点灯制御する場合において、エレベータ乗場１の照度が閾値以上であることをセンサ１３により検出した場合には、第１の光源群１１ａの光源１０と第２の光源群１１ｂの光源１０とを選択して点灯させる。第１の光源群１１ａの光源１０と第２の光源群１１ｂの光源１０とを点灯させることにより、光源１０から出射された後に照光体１２を透過する光量が多くなり、照光体１２の輝度が高くなる。これにより、エレベータ乗場１の照度が高い場合でも、照光体１２が照光していることの確認を確実に行うことができるようになる。
【００２７】
このため、エレベータ乗場１に日光が差し込んでエレベータ乗場１の照度が高くなった場合などにおいては、照光体１２の輝度が自動的に高くなるので、照光体１２が照光していることの確認が困難になるという事態の発生を防止することができる。
【００２８】
一方、エレベータ乗場１の照度が閾値未満であることをセンサ１３が検出した場合には、第１の光源群１１ａの光源１０のみを選択して点灯させる。この場合は、照光体１２の輝度は、第１の光源群１１ａの光源１０と第２の光源群１１ｂの光源１０とを点灯させた場合に比べて低くなるが、エレベータ乗場１の照度が閾値未満であるため、照光体１２が照光していることの確認を確実に行うことができる。しかも、照光体１２が明るすぎるという事態の発生を防止することができ、さらに、消費電力を低減することができる。
【００２９】
なお、第１の実施の形態では、複数の光源１０を第１の光源群１１ａと第２の光源群１１ｂとの２つの群に分け、照光体１２の輝度の切替を２段階に行なう場合を例に挙げて説明したが、複数の光源１０を３つ以上の群に分け、照光体１２の輝度の切替を３段階以上に行なうようにしてもよい。
【００３０】
また、第１の実施の形態では、センサ１３をホールランタン装置４のフェースプレート９に取付けた場合を例に挙げて説明したが、このセンサ１３の取付位置については、エレベータ乗場１の照度を検出できる位置であればどこでもよく、例えば、ホールランタン装置４、５から離れた壁面等に取付けてもよい。
【００３１】
（第２の実施の形態）
本発明の第２の実施の形態のエレベータのホールランタン装置を図４に基づいて説明する。なお、第２の実施の形態及びこれ以降の他の実施の形態において、先行して説明した実施の形態と同じ構成要素には同じ符号を付し、重複する説明は省略する。
【００３２】
ホールランタン装置２１は、基本的な構成は第１の実施の形態のホールランタン装置４と同じであり、一面が開口されたボックス８と、ボックス８の開口部分を覆うフェースプレート９と、フェースプレート９に取付けられた照光体１２及びセンサ１３と、ボックス８内に設けられた複数の光源１０及び選択部１５を備えている。光源１０は、第１の光源群１１ａと第２の光源群１１ｂとに分けられ、第１の光源群１１ａの光源１０ごとに、又は、第２の光源群１１ｂの光源１０ごとに選択的に点灯制御される。
【００３３】
第２の実施の形態のホールランタン装置２１と第１の実施の形態のホールランタン装置４との異なる点は、ホールランタン装置２１には、点灯パターン変更部２２が設けられている点である。この点灯パターン変更部２２は、制御盤１７内に設けられており、センサ１３が予め設定された時間遮光された場合に、光源１０の点灯パターンをエレベータの通常運転時の点灯パターンとは異なる点灯パターンに変更する。
【００３４】
なお、乗りかごがエレベータ乗場１に到着することを予報するためのホールランタン装置２１の点灯制御に関しては、第１の実施の形態と同様に行なわれる。
【００３５】
このような構成において、エレベータの保守点検等を行なう場合には、センサ１３を予め設定された時間遮光する。この遮光が行なわれたことを検知した信号が選択部１５と信号線１８とを経由して制御盤１７に出力される。すると、制御盤１７内の点灯パターン変更部２２から選択部１５に対して光源１０の点灯パターンを変更する信号が出力され、光源１０が通常運転時の点灯パターンとは異なる点灯パターン、例えば、短周期の点滅パターン、長周期の点滅パターン等に変更される。なお、この点灯パターンの変更は、保守点検を行なうエレベータの各階床のエレベータ乗場１のホールランタン装置２１で行なわれる。
【００３６】
したがって、エレベータ利用者は、照光体１２が通常運転時の点灯パターンとは異なる点灯パターンで照光することを視認することにより、エレベータが保守点検等をされているためにそのエレベータは現在使用できないことを知ることができる。
【００３７】
また、エレベータの保守点検時において、各階床のエレベータの出入口に保守点検中であることを表示する立て札等を設置したりその立て札等を片付けたりする手間が不要となり、保守点検作業の作業時間の短縮化を図ることができる。
【００３８】
（第３の実施の形態）
本発明の第３の実施の形態のエレベータのホールランタン装置を図５に基づいて説明する。
【００３９】
ホールランタン装置３１は、基本的な構成は第１の実施の形態のホールランタン装置４と同じであり、一面が開口されたボックス８と、ボックス８の開口部分を覆うフェースプレート９と、フェースプレート９に取付けられた照光体１２及びセンサ１３と、ボックス８内に設けられた複数の光源１０及び選択部１５とを備えている。光源１０は、第１の光源群１１ａと第２の光源群１１ｂとに分けられ、第１の光源群１１ａの光源１０ごとに、又は、第２の光源群１１ｂの光源１０ごとに選択的に点灯制御される。
【００４０】
第３の実施の形態のホールランタン装置３１と第１の実施の形態のホールランタン装置４との異なる点は、ホールランタン装置３１のフェースプレート９には、エレベータの運行状態を点灯表示する表示灯３２が設けられ、さらに、点灯制御部３３が設けられている点である。
【００４１】
表示灯３２にはエレベータの運行状態を表示する文字、例えば、保守点検中であることを表示する“休止”の文字が記されており、表示灯３２はこの表示灯３２を点灯制御する選択部１５に電線３２ａにより接続されている。
【００４２】
点灯制御部３３は、制御盤１７に設けられており、センサ１３が予め設定された時間遮光された場合に、表示灯３２を点灯させる。
【００４３】
なお、乗りかごがエレベータ乗場１に到着することを予報するためのホールランタン装置３１の点灯制御に関しては、第１の実施の形態と同様に行なわれる。
【００４４】
このような構成において、エレベータの保守点検等を行なう場合には、センサ１３を予め設定された時間遮光する。この遮光が行なわれたことを検知した信号が選択部１５と信号線１８とを経由して制御盤１７に出力される。すると、制御盤１７内の点灯制御部３３から選択部１５に対して表示灯３２を点灯させる信号が出力され、表示灯３２が点灯される。なお、この表示灯３２の点灯は、保守点検を行なうエレベータの各階床のエレベータ乗場１のホールランタン装置３１で行なわれる。
【００４５】
したがって、エレベータ利用者は、表示灯３２の表示を視認することにより、エレベータが保守点検等をされているためにそのエレベータは現在使用できないことを知ることができる。
【００４６】
また、エレベータの保守点検時において、各階床のエレベータの出入口に保守点検中であることを表示する立て札等を設置したりその立て札等を片付けたりする手間が不要となり、保守点検作業の短縮化を図ることができる。
【００４７】
（第４の実施の形態）
本発明の第４の実施の形態のエレベータのホールランタン装置を図６に基づいて説明する。
【００４８】
ホールランタン装置４１は、基本的な構成は第１の実施の形態のホールランタン装置４と同じであり、一面が開口されたボックス８と、ボックス８の開口部分を覆うフェースプレート９と、フェースプレート９に取付けられた照光体１２及びセンサ１３と、ボックス８内に設けられた複数の光源４２及び選択部１５とを備えている。
【００４９】
第４の実施の形態のホールランタン装置４１と第１の実施の形態のホールランタン装置４、５との異なる点は、第１の実施の形態の複数の光源１０が同じ色の光を出射する白熱灯であるのに対し、第４の実施の形態の複数の光源４２が、出射する色が異なる複数種類のＬＥＤであることである。この光源４２であるＬＥＤから出射される光の色としては、例えば、赤色、緑色、青色等である。そして、これらの光源４２が基板４３に実装され、基板４３と選択部１５とがフレキシブルな配線基板４４により接続されている。
【００５０】
このような構成において、ホールランタン装置４１を点灯制御する場合において、エレベータ乗場１の照度に応じて、点灯させる光源４２を発光する光の色ごとに選択する。例えば、エレベータ乗場１の照度を３段階に区分けした場合に、センサ１３によるエレベータ乗場１の照度の検出結果に応じて、赤色の光を出射する光源４２のみを選択して点灯させ、又は、緑色の光を出射する光源４２のみを選択して点灯させ、又は、青色の光を出射する光源４２のみを選択して点灯させる。そして、エレベータ乗場１の照度と選択して点灯させる光源４２との関係を、その照度のときに最も見やすくなる色の光源４２を選択して点灯させることにより、エレベータ乗場１の照度が変わっても照光している照光体１２が見やすくなり、かつ、意匠的にも優れたホールランタン装置４１を得ることができる。
【図面の簡単な説明】
【００５１】
【図１】本発明の第１の実施の形態に係るホールランタン装置を備えるエレベータを示す正面図である。
【図２】ホールランタン装置を示す分解斜視図である。
【図３】ホールランタン装置４の点灯制御について説明するフローチャートである。
【図４】本発明の第２の実施の形態に係るホールランタン装置を示す分解斜視図である。
【図５】本発明の第３の実施の形態に係るホールランタン装置を示す分解斜視図である。
【図６】本発明の第４の実施の形態に係るホールランタン装置を示す分解斜視図である。
【符号の説明】
【００５２】
１…エレベータ乗場、１０…光源、１２…照光体、１３…センサ、１５…選択部、２２…点灯パターン変更部、３２…表示灯、３３…点灯制御部、４２光源
【図１】
2009208915.tif 000003
【図２】
2009208915.tif 000004
【図３】
2009208915.tif 000005
【図４】
2009208915.tif 000006
【図５】
2009208915.tif 000007
【図６】
2009208915.tif 000008